【手続補正書】
【提出日】平成29年11月1日(2017.11.1)
【手続補正１】
【補正対象書類名】明細書
【補正対象項目名】発明の名称
【補正方法】変更
【補正の内容】
【発明の名称】製造方法、電子機器、設定方法、及びキッティングシステム
【手続補正２】
【補正対象書類名】明細書
【補正対象項目名】０００１
【補正方法】変更
【補正の内容】
【０００１】
本発明は、製造方法、電子機器、設定方法、及びキッティングシステムに関する。
【手続補正３】
【補正対象書類名】明細書
【補正対象項目名】０００８
【補正方法】変更
【補正の内容】
【０００８】
この発明に係る製造方法は、電子機器の製造方法であって、電子機器を識別するための識別情報を電子機器に書き込むステップと、在庫している電子機器の中から、少なくとも電子機器毎の受注情報と電子機器の設置時に当該電子機器毎に設定するための事前設定情報とを対応付けた受注表に基づいて、所定の出荷条件の電子機器を選別するステップと、前記選別された電子機器を出荷する際に、少なくとも前記電子機器毎の受注情報と前記電子機器の識別情報とを対応付けた出荷表を、前記選別された電子機器に書き込むステップと、を含み、前記選別された電子機器のそれぞれに書き込まれる前記出荷表は、互いに同一内容である、ことを特徴とする。
【手続補正４】
【補正対象書類名】明細書
【補正対象項目名】０００９
【補正方法】変更
【補正の内容】
【０００９】
この発明に係る電子機器は、自装置を識別するための識別情報を記憶する識別情報記憶手段と、出荷時に、少なくとも電子機器毎の受注情報と電子機器毎の識別情報とを対応付けた出荷表を記憶する出荷表記憶手段と、を備え、所定の出荷条件の電子機器のそれぞれに書き込まれる前記出荷表は、互いに同一内容である、ことを特徴とする。
【手続補正５】
【補正対象書類名】明細書
【補正対象項目名】００１０
【補正方法】変更
【補正の内容】
【００１０】
この発明に係る設定方法は、電子機器の動作条件を設定する設定方法であって、電子機器に電源が投入されると、自装置を識別するための識別情報と、出荷時に書き込まれた、少なくとも電子機器毎の受注情報と電子機器毎の識別情報とを対応付けた出荷表とに基づいて、当該出荷表に含まれる前記電子機器毎の受注情報の中から、自装置宛の受注情報を特定するステップと、前記特定された前記自装置宛の受注情報に基づいて、少なくとも前記電子機器毎の受注情報と電子機器の設置時に当該電子機器に設定するための事前設定情報とを対応付けた受注表から、当該自装置に対する事前設定情報を読み込み、当該事前設定情報に基づいて当該自装置の動作条件を設定するステップと、を含み、当該自装置に書き込まれている前記出荷表の内容は、所定の出荷条件が同じになっている他の電子機器の出荷表の内容と同じになっている、ことを特徴とする。
【手続補正６】
【補正対象書類名】明細書
【補正対象項目名】００１１
【補正方法】変更
【補正の内容】
【００１１】
この発明に係るキッティングシステムは、電子機器と外部記憶媒体とからなるキッティングシステムであって、前記外部記憶媒体は、少なくとも電子機器毎の受注情報と電子機器の設置時に当該電子機器に設定するための事前設定情報とを対応付けた受注表を記憶し、前記電子機器は、自装置を識別するための識別情報を記憶する識別情報記憶手段と、出荷時に、少なくとも前記電子機器毎の受注情報と電子機器毎の識別情報とを対応付けた出荷表を記憶する出荷表記憶手段と、前記識別情報記憶手段に記憶されている自装置の識別情報と前記出荷表記憶手段に記憶されている前記出荷表に含まれる前記電子機器毎の識別情報とに基づいて、前記出荷表に含まれる前記電子機器毎の受注情報の中から、自装置宛の受注情報を特定する受注情報特定手段と、前記受注情報特定手段によって特定された前記自装置宛の受注情報に基づいて、前記外部記憶媒体に記憶されている前記受注表から自装置に対する事前設定情報を読み込み、当該事前設定情報に基づいて当該自装置の動作条件を設定する設定手段と、を備え、所定の出荷条件の電子機器のそれぞれに書き込まれる前記出荷表は、互いに同一内容である、ことを特徴とする。
【手続補正７】
【補正対象書類名】特許請求の範囲
【補正対象項目名】全文
【補正方法】変更
【補正の内容】
【特許請求の範囲】
【請求項１】
電子機器の製造方法であって、
電子機器を識別するための識別情報を電子機器に書き込むステップと、
在庫している電子機器の中から、少なくとも電子機器毎の受注情報と電子機器の設置時に当該電子機器毎に設定するための事前設定情報とを対応付けた受注表に基づいて、所定の出荷条件の電子機器を選別するステップと、
前記選別された電子機器を出荷する際に、少なくとも前記電子機器毎の受注情報と前記電子機器の識別情報とを対応付けた出荷表を、前記選別された電子機器に書き込むステップと、
を含み、
前記選別された電子機器のそれぞれに書き込まれる前記出荷表は、互いに同一内容である、
ことを特徴とする製造方法。
【請求項２】
電子機器を出荷先毎に仕分けするステップを更に含み、
前記出荷表を書き込むステップは、
前記出荷先毎に仕分けされた電子機器に前記出荷表を書き込む、
ことを特徴とする請求項１に記載の製造方法。
【請求項３】
前記出荷条件は、少なくとも出荷日単位、出荷先単位、出荷レーン単位、出荷形態、機種のいずれか１つ、またはそれらの組み合わせである、
ことを特徴とする請求項１または２に記載の製造方法。
【請求項４】
自装置を識別するための識別情報を記憶する識別情報記憶手段と、
出荷時に、少なくとも電子機器毎の受注情報と電子機器毎の識別情報とを対応付けた出荷表を記憶する出荷表記憶手段と、を備え、
所定の出荷条件の電子機器のそれぞれに書き込まれる前記出荷表は、互いに同一内容である、
ことを特徴とする電子機器。
【請求項５】
前記識別情報記憶手段に記憶されている自装置の識別情報と前記出荷表記憶手段に記憶されている前記出荷表に含まれる前記電子機器毎の識別情報とに基づいて、前記出荷表に含まれる前記電子機器毎の受注情報の中から、自装置宛の受注情報を特定する受注情報特定手段と、
前記受注情報特定手段によって特定された前記自装置宛の受注情報に基づいて、少なくとも前記電子機器毎の受注情報と電子機器の設置時に当該電子機器に設定するための事前設定情報とを対応付けた受注表から、当該自装置に対する事前設定情報を読み込み、当該事前設定情報に基づいて当該自装置の動作条件を設定する設定手段と、
を更に備えることを特徴とする請求項４に記載の電子機器。
【請求項６】
電源が投入されると、前記受注表が記憶されている外部記憶媒体が装着されているか否かを判断する判断手段を更に備え、
前記判断手段によって前記外部記憶媒体が装着されていると判断された場合に、前記受注情報特定手段によって前記自装置宛の受注情報を特定するとともに、前記設定手段によって、前記外部記憶媒体に記憶されている前記受注表から当該自装置に対する事前設定情報を読み込み、当該事前設定情報に基づいて当該自装置の動作条件を設定する、
ことを特徴とする請求項５に記載の電子機器。
【請求項７】
前記受注表は、前記電子機器の識別情報に拘わらず、共通して用いることが可能な共通設定情報を含み、
前記設定手段は、前記受注表に前記自装置に対する事前設定情報が記憶されていない場合、前記受注表に含まれる前記共通設定情報に基づいて当該自装置の動作条件を設定する、
ことを特徴とする請求項５または６に記載の電子機器。
【請求項８】
前記出荷条件は、少なくとも出荷日単位、出荷先単位、出荷レーン単位、出荷形態、機種のいずれか１つ、またはそれらの組み合わせである、
ことを特徴とする請求項４乃至７のいずれか一項に記載の電子機器。
【請求項９】
電子機器の動作条件を設定する設定方法であって、
電子機器に電源が投入されると、自装置を識別するための識別情報と、出荷時に書き込まれた、少なくとも電子機器毎の受注情報と電子機器毎の識別情報とを対応付けた出荷表とに基づいて、当該出荷表に含まれる前記電子機器毎の受注情報の中から、自装置宛の受注情報を特定するステップと、
前記特定された前記自装置宛の受注情報に基づいて、少なくとも前記電子機器毎の受注情報と電子機器の設置時に当該電子機器に設定するための事前設定情報とを対応付けた受注表から、当該自装置に対する事前設定情報を読み込み、当該事前設定情報に基づいて当該自装置の動作条件を設定するステップと、を含み、
当該自装置に書き込まれている前記出荷表の内容は、所定の出荷条件が同じになっている他の電子機器の出荷表の内容と同じになっている、
ことを特徴とする設定方法。
【請求項１０】
電子機器に電源が投入されると、前記受注表を記憶する外部記憶媒体が装着されているか否かを判断するステップを更に含み、
前記外部記憶媒体が装着されていると判断された場合に、前記特定するステップによって前記自装置宛の受注情報を特定するとともに、前記設定するステップによって、前記外部記憶媒体に記憶されている前記受注表から当該自装置に対する事前設定情報を読み込み、当該事前設定情報に基づいて当該自装置の動作条件を設定する、
ことを特徴とする請求項９に記載の設定方法。
【請求項１１】
前記受注表は、前記電子機器の識別情報に拘わらず、共通して用いることが可能な共通設定情報を含み、
前記設定するステップは、前記受注表に前記自装置に対する事前設定情報が記憶されていない場合、前記受注表に含まれる前記共通設定情報に基づいて当該自装置の動作条件を設定する、
ことを特徴とする請求項９または１０に記載の設定方法。
【請求項１２】
前記出荷条件は、少なくとも出荷日単位、出荷先単位、出荷レーン単位、出荷形態、機種のいずれか１つ、またはそれらの組み合わせである、
ことを特徴とする請求項９乃至１１のいずれか一項に記載の設定方法。
【請求項１３】
電子機器と外部記憶媒体とからなるキッティングシステムであって、
前記外部記憶媒体は、
少なくとも電子機器毎の受注情報と電子機器の設置時に当該電子機器に設定するための事前設定情報とを対応付けた受注表を記憶し、
前記電子機器は、
自装置を識別するための識別情報を記憶する識別情報記憶手段と、
出荷時に、少なくとも前記電子機器毎の受注情報と電子機器毎の識別情報とを対応付けた出荷表を記憶する出荷表記憶手段と、
前記識別情報記憶手段に記憶されている自装置の識別情報と前記出荷表記憶手段に記憶されている前記出荷表に含まれる前記電子機器毎の識別情報とに基づいて、前記出荷表に含まれる前記電子機器毎の受注情報の中から、自装置宛の受注情報を特定する受注情報特定手段と、
前記受注情報特定手段によって特定された前記自装置宛の受注情報に基づいて、前記外部記憶媒体に記憶されている前記受注表から自装置に対する事前設定情報を読み込み、当該事前設定情報に基づいて当該自装置の動作条件を設定する設定手段と、を備え、
所定の出荷条件の電子機器のそれぞれに書き込まれる前記出荷表は、互いに同一内容である、
ことを特徴とするキッティングシステム。
【請求項１４】
前記電子機器は、
電源が投入されると、前記外部記憶媒体が装着されているか否かを判断する判断手段を更に備え、
前記判断手段によって前記外部記憶媒体が装着されていると判断された場合に、前記設定手段によって当該自装置の動作条件を設定する、
ことを特徴とする請求項１３に記載のキッティングシステム。
【請求項１５】
前記受注表は、前記電子機器の識別情報に拘わらず、共通して用いることが可能な共通設定情報を含み、
前記設定手段は、前記外部記憶媒体に記憶されている前記受注表に前記自装置に対する事前設定情報が記憶されていない場合、前記受注表に含まれる前記共通設定情報に基づいて当該自装置の動作条件を設定する、
ことを特徴とする請求項１４に記載のキッティングシステム。